(57)【要約】【課題】  端子台のネジなどに強固に取り付けることができるクリップを提供することを目的とする。【解決手段】  ネジ１０３に取り付けられるクリップであって、対向する２つのクリップ部材１、２が、対向方向に開閉自在に配設され、クリップ部材１、２の先端部側を閉方向に付勢するネジリコイルバネ３と、クリップ部材１、２の先端部側に設けられ、ネジ１０３の頭部の下面下に位置する係止部１６とを備える。クリップに開閉方向と直交する方向（ネジ１０３の軸方向）の外力がかかっても、係止部１６がネジ１０３の頭部の下面下に当たるため、クリップが外れ難い。【選択図】  図５
2010009941.tif 000002
【特許請求の範囲】
【請求項１】
ネジに取り付けられるクリップであって、
対向する２つのクリップ部材が、対向方向に開閉自在に配設され、
前記クリップ部材の開閉端側を閉方向に付勢する付勢手段を備え、
前記クリップ部材の開閉端側に、閉じた状態でネジの頭部の下面下に位置する係止部が設けられている、
ことを特徴とするクリップ。
【請求項２】
前記クリップ部材の開閉端側に、閉じた状態で前記ネジの頭部の側面側に位置する側壁部が設けられている、
ことを特徴とする請求項１に記載のクリップ。
【請求項３】
前記係止部を残して前記クリップ部材が絶縁保護されている、
ことを特徴とする請求項１または２のいずれか１項に記載のクリップ。
【発明の詳細な説明】
【技術分野】
【０００１】
本発明は、端子台のネジなどに取り付けられるクリップに関する。
【背景技術】
【０００２】
例えば、端子台には、図８に示すように、複数の端子板１０１が並んで配列され、端子板１０１間には隔壁１０２が設けられている。各端子板１０１には、手前方向と奥行き方向（図の紙面方向）にネジ孔が形成され、このネジ孔を貫通するようにネジ１０３が取り付けられている。また、ネジ１０３の緩み止め防止などのために、ネジ１０３と端子板１０１の間には、バネ座金１０４が設けられている。このような端子台に、端子１０５を取り付けるには、端子１０５を端子板１０１とバネ座金１０４の間に挿入し、ネジ１０３を締める。このような取り付け状態では、端子台の端子板１０１の上には、端子１０５が配設され、端子１０５の上にバネ座金１０４が配設され、バネ座金１０４の上には、ネジ１０３の頭部が位置する。また、図８の端子台では、ネジ１０３の頭部の径はバネ座金１０４の外径よりも大きく、ネジ１０３と端子１０５の間には、窪み１０６が形成されている。
【０００３】
こうした端子台は、各種の電子回路などに用いられており、端子１０５を取り付けた状態で、任意の端子１０５間を試験的に接続して、電子回路のシーケンステストなどを行うことがある。このとき、例えば、リード線の両端に、図９に示すような、ワニ口やみの虫等のクリップ１１０を半田付けした接続具が使われている。このようなクリップ１１０は、ワニ口形状をした滑り止め用の歯１１１が設けられ、この歯１１１は一般に銅線等を挟むもので、歯１１１を露出するようにカバー１１２で覆われている。そして、端子１０５を端子台に取り付けた状態で、任意の端子１０５間を接続するには、対象の端子１０５のネジ１０３の頭部をクリップ１１０の歯１１１で挟んで固定している（例えば、特許文献１参照。）。
【特許文献１】特開平８−２７３７２７号公報
【発明の開示】
【発明が解決しようとする課題】
【０００４】
しかしながら、端子台の各端子板１０１に設けられているネジ１０３は、一般に、頭部に丸み（ナベ頭）があり、クリップ１１０で挟む際にすべり易く、取り付け作業に比較的手間がかかると共に、テストなどをしている最中に外れてしまう場合があった。また、クリップ１１０の歯１１１の部分が長いので、対象のネジ１０３を挟む際に、他のネジ１０３などに接触するおそれがあった。つまり、従来のクリップ１１０は、上記のように銅線等を挟むことを主目的としているため、ネジ１０３の頭部を挟むには適していなかった。
【０００５】
そこで、本発明は、端子台のネジなどに強固に取り付けることができるクリップを提供することを目的とする。
【課題を解決するための手段】
【０００６】
請求項１に記載の発明は、ネジに取り付けられるクリップであって、対向する２つのクリップ部材が、対向方向に開閉自在に配設され、前記クリップ部材の開閉端側を閉方向に付勢する付勢手段を備え、前記クリップ部材の開閉端側に、閉じた状態でネジの頭部の下面下に位置する係止部が設けられている、ことを特徴としている。
【０００７】
請求項２に記載の発明は、請求項１に記載のクリップにおいて、前記クリップ部材の開閉端側に、閉じた状態で前記ネジの頭部の側面側に位置する側壁部が設けられている、ことを特徴としている。
【０００８】
請求項３に記載の発明は、請求項１または２のいずれか１項に記載のクリップにおいて、前記係止部を残して前記クリップ部材が絶縁保護されている、ことを特徴としている。
【発明の効果】
【０００９】
請求項１に記載の発明によれば、ネジの頭部をクリップ部材の開閉端側で挟んだ状態では、ネジの頭部の下面下にクリップ部材の係止部が位置し、付勢手段によってクリップ部材の開閉端側が閉方向に付勢される。このため、クリップに開閉方向と直交する方向（ネジの軸方向）の外力がかかっても、係止部がネジの頭部の下面に当たり（係止し）、クリップがネジから外れ難く、クリップをネジに強固に取り付けることができる。
【００１０】
請求項２に記載の発明によれば、ネジの頭部の側面側に側壁部が位置するため、クリップに横方向（ネジの軸方向と直交する方向）の外力がかかっても側壁部がネジの頭部の側面に当たる。このため、クリップが横方向に対しても外れ難くなる。
【００１１】
請求項３に記載の発明によれば、係止部を残してクリップ部材が絶縁保護されているため、取り付け作業時に、クリップ部材が他のネジなどに接触するのを防ぐことができる。
【発明を実施するための最良の形態】
【００１２】
以下、本発明を図示の実施の形態に基づいて説明する。
【００１３】
図１は、本発明の実施の形態に係わるクリップの正面図である。このクリップは接続具に用いられ、この接続具は、例えば図８に示す端子台に使用される。このクリップは、図２に示すように、第１のクリップ部材（クリップ部材）１と、第２のクリップ部材（クリップ部材）２と、ネジリコイルバネ（付勢手段）３と、カバー４および回転軸５を備えている。
【００１４】
第１のクリップ部材１は、導電材で構成され、図３に示すように、例えば金属板をプレス加工して製造され、主に、基板部１１と、第１の側壁部（側壁部）１２と、第２の側壁部（側壁部）１３と、保持部１５および係止部１６を有し、一体的に形成されている。ここで第２のクリップ部材２は、第１のクリップ部材１と同等の基板部１１と、第１の側壁部１２と、第２の側壁部１３および係止部１６を有しているため、以下、主としてクリップ部材１について説明する。
【００１５】
基板部１１は、略長方形の板状で、後端部側にリード線（図示せず）を配設するリード線用孔１１Ａが形成され、リード線がこのリード線用孔１１Ａに貫通され半田等で基板部１１に固定されるようになっている。基板部１１の短尺方向の両側縁には、基板部１１の板面に対して直交するように、立ち上った第１の側壁部１２と第２の側壁部１３が設けられている。第１の側壁部１２と第２の側壁部１３は、後述するように、ネジ１０３に取り付けた状態で、ネジ１０３の頭部の側面側に位置するようになっている。つまり、この第１の側壁部１２と第２の側壁部１３の間にネジ１０３の頭部が入るように、基板部１１の幅（第１の側壁部１２と第２の側壁部１３の間幅）が設定されている。また、第１の側壁部１２および第２の側壁部１３の中央部には、それぞれ半円形状の突起１４が形成され、この突起１４の中央には、回転軸５を貫通させる回転軸用孔１４Ａが形成されている。
【００１６】
回転軸５は、第１のクリップ部材１と第２のクリップ部材２の回転軸用孔１４Ａが同心に位置した状態で、すべての（４つの）回転軸用孔１４Ａを貫通して配設され、第１のクリップ部材１と第２のクリップ部材２を回転可能に保持するものである。ネジリコイルバネ３は、回転軸５に巻かれるように配設され、第１のクリップ部材１と第２のクリップ部材２の先端部側（開閉端側）を閉方向に付勢するように（後端部側が開く方向に弾性力が加わるように）配設されている。カバー４は、ゴムなどの絶縁材から構成され、略円筒形で、第１のクリップ部材１と第２のクリップ部材２の係止部１６を残して絶縁保護するように（係止部１６と、ネジ１０３の頭部に対向する部分周辺とが露出するように）配設されている。保持部１５は、基板部１１の後端部側に、基板部１１の板面に対して直交するように立ち上って形成され、折り曲げることで、上記のように半田等されたリード線を保持するものである。
【００１７】
係止部１６は、基板部１１の先端部側に設けられ、基板部１１の短尺縁から基板部１１の板面に対して垂直に立ち上るように形成されている。つまり、第１の側壁部１２と第２の側壁部１３の間に位置し、第１の側壁部１２および第２の側壁部１３と同方向に立ち上るように形成されている。
【００１８】
係止部１６の先端１６Ａは、凹型の円弧状に形成されている。第１のクリップ部材１と第２のクリップ部材２の係止部１６は、図４に示すように、互いに対向し、クリップがネジ１０３を挟んだ状態でネジ１０３の頭部の下面下に位置するようになっている。すなわち、係止部１６がネジ１０３下にある窪み１０６に挿入され、係止部１６の先端１６Ａで、図５に示すように、バネ座金１０４を挟むようになっている。または、係止部１６が窪み１０６に挿入され、図６に示すように、基板部１１の先端部側でネジ１０３の頭部を挟むようになっていてもよい。あるいは、ネジ１０３の頭部の下に隙間が形成されている（ネジ部が露出している）場合において、図７に示すように、係止部１６の先端１６Ａでネジ１０３のネジ部を挟むようになっていてもよく、このような挟持状態のパターンは、ネジ１０３の頭部の大きさや係止部１６の長さなどによる。
【００１９】
また、この実施の形態では、係止部１６がバネ座金１０４を挟んだ状態で、第１のクリップ部材１の先端１６Ａと、第２のクリップ部材２の先端１６Ａとにより形成される開口の形状は、バネ座金１０４の外形に沿うように設定されている。つまり、凹型の円弧状に形成され、先端１６Ａの中央部分がバネ座金１０４と接触するようになっている。以上のように、このクリップは、一般に使用されているワニ口クリップやみの虫クリップと基本的構成が同等であり、クリップ部材１、２の先端部（挟持部）の形状、構成が異なるものである。
【００２０】
次に、このような構成のクリップの使用方法などについて説明する。
【００２１】
クリップを端子台のネジ１０３に取り付ける際には、後端部側をつまみ、先端部側を開口する。そして、隔壁１０２に沿う方向（図８中上方）から、クリップをネジ１０３に近づけ、係止部１６を窪み１０６に挿入するようにしてつまみを解除する。これにより、図５に示すように、ネジリコイルバネ３によってクリップ部材１、２の先端部側が閉じ、例えば、係止部１６の先端１６Ａでバネ座金１０４を挟んだ状態となり、クリップが端子台に取り付けられる。この状態では、係止部１６がネジ１０３の頭部の下面下に位置し、かつ、基板部１１と第１の側壁部１２と第２の側壁部１３の先端部側がネジ１０３の頭部の側面側に位置する。つまり、ネジ１０３の頭部の四方に基板部１１と第１の側壁部１２と第２の側壁部１３が位置する。
【００２２】
以上のように、この実施の形態におけるクリップによれば、ネジ１０３の頭部をクリップ部材１、２の開閉端側で挟んだ状態では、ネジ１０３の頭部の下面下にクリップ部材１、２の係止部１６が位置し、かつ、ネジ１０３の頭部の側面側に側壁部１２、１３が位置する。このため、クリップに開閉方向と直交するする方向（ネジ１０３の軸方向）の外力がかかっても、係止部１６がネジ１０３の頭部の下面に当たりクリップが外れ難く、クリップを端子台のネジ１０３に強固に取り付けることができる。また、クリップに横方向（ネジ１０３の軸方向と直交する方向）の外力がかかっても、側壁部１２、１３がネジ１０３の頭部の側面に当たりクリップが外れ難く、クリップを端子台のネジ１０３に強固に取り付けることができる。
【００２３】
また、従来のワニ口クリップ１１０では、銅線等を挟むことを目的とするため、歯１１１が長く、この歯１１１を絶縁カバーしないで露出する必要がある。これに対して、このクリップでは、カバー４から露出させるのは、係止部１６の周辺（先端部側）のみでよいため、その露出量を減らすことができ、取り付け作業時に、露出部分が他のネジ１０３に接触するのを防止することができる。
【００２４】
以上、この発明の実施の形態を詳述してきたが、具体的な構成はこの実施の形態に限られるものではなく、この発明の要旨を逸脱しない範囲の設計の変更等があっても、この発明に含まれる。例えば、この実施の形態では、基板部１１の短尺方向の両側縁に側壁部１２、１３が設けられているが、設けなくてもよい。この場合、ネジ１０３の頭部の大きさにかかわらず、ネジ１０３の頭部を挟持することができる。なお、側壁部１２、１３を設けないことで、クリップ部材１、２の強度、剛性が所定値以上に保てない場合には、基板部１１に、長手方向にのびる補強リブを設けてもよい。また、係止部１６の先端１６Ａが、凹型の円弧状に形成されているが、例えば、半円状や「ハ」の字状に形成し、バネ座金１０４を挟む形状であってもよい。さらに、端子台のネジ１０３にクリップを取り付ける場合について説明したが、端子台に限られるものではなく、制御装置などのネジであってもよい。
【図面の簡単な説明】
【００２５】
【図１】本発明の実施の形態に係わるクリップの正面図である。
【図２】図１のクリップの分解正面図である。
【図３】図１のクリップのクリップ部材の斜視図である。
【図４】図１のクリップの係止部の正面図である。
【図５】図１のクリップの係止部で端子台のバネ座金を挟んだ状態を示す正面図である。
【図６】図１のクリップの基板部の先端部側で端子台のネジの頭部を挟んだ状態を示す正面図である。
【図７】図１のクリップの係止部で端子台のネジのネジ部を挟んだ状態を示す側面図である。
【図８】端子台の正面図である。
【図９】従来のクリップの正面図である。
【符号の説明】
【００２６】
１          第１のクリップ部材（クリップ部材）
２          第２のクリップ部材（クリップ部材）
３          ネジリコイルバネ（付勢手段）
４          カバー
５          回転軸
１１        基板部
１２        第１の側壁部（側壁部）
１３        第２の側壁部（側壁部）
１５        保持部
１６        係止部
１０１      端子板
１０３      ネジ
１０４      バネ座金
１０５      端子
【図１】
2010009941.tif 000003
【図２】
2010009941.tif 000004
【図３】
2010009941.tif 000005
【図４】
2010009941.tif 000006
【図５】
2010009941.tif 000007
【図６】
2010009941.tif 000008
【図７】
2010009941.tif 000009
【図８】
2010009941.tif 000010
【図９】
2010009941.tif 000011